(57)【要約】【課題】  電力系統設備データベースを効率的に、かつ、処理装置にかかる負荷を分散する電力系統設備データベース管理システムを提供する。【解決手段】  監視制御装置は、個別オブジェクトデータ２４Ｃを生成する個別ＤＢ生成タスク２５と、制御所ＤＢ２４Ａを管理サーバ１２から受信するダウンロードタスク２７と、個別オブジェクトデータ２４Ｃと制御所ＤＢ２４Ａとを管理サーバ１２に送信するアップロードタスク２６と、を有し、管理サーバ１２は、共有オブジェクトデータ１３Ｅを生成する共有マスタ生成タスク１２１と、共有オブジェクトデータ１３Ｅと個別オブジェクトデータ１３Ｆを合成する共有マスタ合成タスク１２２と、当該設備を監視対象とする監視制御装置に共有オブジェクトデータ１３Ｅと個別オブジェクトデータ１３Ｆとを配信する配信タスク１２３を有する。【選択図】  図１
2012257388.tif 000002
【特許請求の範囲】
【請求項１】
電力系統設備を監視制御する監視制御装置と、
複数の前記監視制御装置と通信可能で前記各監視制御装置を管理する管理サーバ装置と、
を備え、
前記各監視制御装置は、
監視対象とする前記電力系統設備の設備情報を記憶する個別設備情報データベースと、
前記個別設備情報データベースにもとづいて個別オブジェクトデータを生成する個別設備情報データベース生成手段と、
前記個別設備情報データベースを、前記管理サーバ装置から、データベースメンテナンス端末に受信するダウンロード手段と、
前記個別設備情報データベース生成手段で生成した前記個別オブジェクトデータと前記個別設備情報データベースとを、前記管理サーバ装置に送信するアップロード手段と、を有し、
前記管理サーバ装置は、
前記個別設備情報データベースのマスタデータである個別設備情報マスタデータと、
複数の監視制御装置が監視対象とする前記設備の設備情報を記憶する共有設備情報マスタデータと、
前記アップロード手段によって前記個別オブジェクトデータと前記個別設備情報データベースとがアップロードされると、前記共有設備情報マスタデータにもとづいて共有オブジェクトデータを生成する共有設備情報マスタデータ生成手段と、
前記共有設備情報マスタデータ生成手段が生成した前記共有オブジェクトデータと、前記個別オブジェクトデータとを合成するマスタデータ合成手段と、
前記マスタデータ合成手段で合成した前記個別オブジェクトデータの前記個別設備情報マスタデータの前記設備情報に該当する前記設備を監視対象とする前記監視制御装置に対して、前記共有オブジェクトデータと前記個別オブジェクトデータとを配信する配信手段と、を有する、
ことを特徴とする電力系統設備データベース管理システム。
【発明の詳細な説明】
【技術分野】
【０００１】
この発明は、電力系統設備の監視制御に必要な電力系統設備データベース管理システムに関する。
【背景技術】
【０００２】
電力会社の電力系統は、例えば、送電線、変圧器などの電力系統設備（設備）を有しており、このような設備は、所管の制御所に設置された監視制御装置によって常時、遠隔で監視制御されている。このため、設備に関する設備情報などは、データベースとして管理されている。この設備情報は、複数の制御所の監視制御装置によって使用（作成、参照、更新、削除）される場合もあるので、データの重複を防ぎ、また、データに不整合が生じないように一元化管理されている。
【０００３】
図７、図８は、従来の電力系統設備データベースの管理方法を示している。図７に示すように、制御所ごとに設置された端末装置（ＤＢＴ）としての監視制御装置２００は、自所の所管する（監視対象の）設備の監視制御に必要な、制御所ごとのデータベース２００Ａを有している。データベース２００Ａは、複数の制御所で共通で使用する制御所情報や超高圧系統情報やシステム情報などを制御所共通データベース２００Ｂとして格納し、監視対象設備に関する設備情報を制御所個別データベース２００Ｃとして格納し、さらに制御所ごとの画面２００Ｄを格納している。そして、制御所共通データベース２００Ｂと制御所個別データベース２００Ｃとにもとづいて、制御所ごとの設備を表すアイコンとその運転状況を画面２００Ｄに表示可能としている。このようにして、監視制御装置２００は、自所の監視対象の設備を監視制御可能となっている。
【０００４】
データベースサーバとしての管理サーバ装置１００は、中央制御所などに設置され、データベースを一元管理するためのサーバ装置で、データマスタ１００Ａとして、制御所共通データベース１００Ｂと、制御所ごとの制御所個別データベース１００Ｃと、制御所ごとの画面１００Ｄとを格納している。そして、制御所共通データベース１００Ｂと制御所個別データベース１００Ｃとにもとづいて、制御所ごとの設備を表すアイコンとその運転状況を画面１００Ｄに表示可能としている。このようにして、管理サーバ装置１００は、すべての制御所の監視対象の設備（すべての設備）を監視制御可能となっている。
【０００５】
そして、このような構成の電力系統設備データベースについて、設備の追加や変更があった場合は、図８に示すように、監視制御装置２００において制御所個別データベース２００Ｃが作成、更新され、当該更新データが管理サーバ装置１００にアップロードされる。そして、管理サーバ装置１００によって、追加や変更があった設備情報を含む制御所個別データベース１００Ｃと、制御所共通データベース１００Ｂとが、一括して生成されて制御所個別データベースのオブジェクトデータ（個別オブジェクトデータ）１００Ｅとなり、当該オブジェクトデータが各制御の試験卓２０Ｔに配信されるようになっている。
【０００６】
このように従来の電力系統設備データベースは、管理サーバ装置１００において、データマスタ１００Ａにもとづいて、制御所共通データベース１００Ｂと制御所個別データベース１００Ｃとのオブジェクトデータが一括生成されるようになっている。
【０００７】
ところで、データベース管理システムについては、従来から、例えば、サーバを階層的に接続し、共通情報とそれ以外の個別情報とに分類して管理する分散データ管理システムに関する技術（例えば、特許文献１参照。）が知られている。また、各業務アプリケーションの一つが個別に持つＤＢを更新したことに同期して、共通マスタＤＢを更新する共通マスタＤＢ更新手段と、基幹システムから登録されるデータで共通マスタＤＢを更新することにより、業務アプリケーションごとに前記データを振分け、それぞれが個別に持つＤＢの更新を行う全社統合システムにおける共通処理装置などに関する技術も知られている（例えば、特許文献２参照。）。
【先行技術文献】
【特許文献】
【０００８】
【特許文献１】特開平０９−０５６１８９５５号公報
【特許文献２】特開２００２−０５３８８９号公報
【発明の概要】
【発明が解決しようとする課題】
【０００９】
しかし、図７および図８に示す従来の電力系統設備データベースの管理方法では、管理サーバ装置１００において、すべてのデータベースのオブジェクトデータが一括生成されるため、優先順による処理待ちや割込処理、排他制御による処理待ちが生ずるという問題がある。また、通信回線の制約などにより処理時間が長時間化したり、サーバ装置に重負荷がかかることにより通信回線に障害が発生したりするおそれがある。
【００１０】
この発明の目的は、前記の課題を解決し、電力系統設備データベースを効率的に運用することができ、かつ、サーバ装置にかかる負荷を分散することが可能な電力系統設備データベース管理システムを提供することにある。
【課題を解決するための手段】
【００１１】
前記の課題を解決するために、請求項１の発明は、電力系統設備を監視制御する監視制御装置と、複数の前記監視制御装置と通信可能で前記各監視制御装置を管理する管理サーバ装置と、を備え、前記各監視制御装置は、監視対象とする前記電力系統設備の設備情報を記憶する個別設備情報データベースと、前記個別設備情報データベースにもとづいて個別オブジェクトデータを生成する個別設備情報データベース生成手段と、前記個別設備情報データベースを、前記管理サーバ装置から、データベースメンテナンス端末に受信するダウンロード手段と、前記個別設備情報データベース生成手段で生成した前記個別オブジェクトデータと前記個別設備情報データベースとを、前記管理サーバ装置に送信するアップロード手段と、を有し、前記管理サーバ装置は、前記個別設備情報データベースのマスタデータである個別設備情報マスタデータと、複数の監視制御装置が監視対象とする前記設備の設備情報を記憶する共有設備情報マスタデータと、前記アップロード手段によって前記個別オブジェクトデータと前記個別設備情報データベースとがアップロードされると、前記共有設備情報マスタデータにもとづいて共有オブジェクトデータを生成する共有設備情報マスタデータ生成手段と、前記共有設備情報マスタデータ生成手段が生成した前記共有オブジェクトデータと、前記個別オブジェクトデータとを合成するマスタデータ合成手段と、前記マスタデータ合成手段で合成した前記個別オブジェクトデータの前記個別設備情報マスタデータの前記設備情報に該当する前記設備を監視対象とする前記監視制御装置に対して、前記共有オブジェクトデータと前記個別オブジェクトデータとを配信する配信手段と、を有する、ことを特徴とする電力系統設備データベース管理システムである。
【００１２】
この発明によれば、個別設備情報データベース生成手段によって個別オブジェクトデータが生成され、ダウンロード手段によって、個別設備情報データベースがサーバ装置からデータベースメンテナンス端末に受信され、アップロード手段によって個別オブジェクトデータと個別設備情報データベースがサーバ装置に送信される。また、個別オブジェクトデータと個別設備情報データベースがアップロードされると、共有設備情報マスタデータ生成手段によって共有オブジェクトデータが生成され、マスタデータ合成手段によって共有オブジェクトデータと個別オブジェクトデータとが合成され、配信手段によって個別設備情報マスタデータの設備情報に該当する設備を監視対象とする監視制御装置に対して、共有オブジェクトデータと個別オブジェクトデータとが配信される。
【発明の効果】
【００１３】
請求項１の発明によれば、個別設備情報データベースは、各監視制御装置によってオブジェクトデータが生成されるので、サーバ装置の負荷を大幅に軽減することができ、重負荷によるサーバ装置および通信回線の障害を回避することができる。また、優先順による処理待ちや割込処理、排他制御による処理待ちが生ずるという問題も回避できるので、電力系統設備データベースを効率的に運用することができる。
【図面の簡単な説明】
【００１４】
【図１】この発明の実施の形態に係る電力系統設備データベース管理システムを示す概略構成図である。
【図２】図１の電力系統設備データベース管理システムの中の共有部データベースと制御所個別データベースを示す概念図である。
【図３】図１の電力系統設備データベース管理システムの設備データベースのデータ構成図である。
【図４】図１の電力系統設備データベース管理システムの監視対象設備データベースのデータ構成図である。
【図５】図１の電力系統設備データベース管理システムのデータの流れを示す概念図である。
【図６】図１の電力系統設備データベース管理システムのデータベース生成タイミングを示す概略図である。
【図７】従来の電力系統設備データベースの管理方法によるデータの流れを示す概念図である。
【図８】従来の電力系統設備データベースの管理方法によるデータベース生成タイミングを示す概略図である。
【発明を実施するための形態】
【００１５】
以下、この発明を図示の実施の形態にもとづいて説明する。
【００１６】
図１〜図６は、この発明の実施の形態を示している。図１に示すように、電力系統設備データベース管理システム１は、管理サーバ装置１０と、制御所ごとに設置されたＡ監視制御装置２０〜Ｂ監視制御装置３０と、遠隔監視制御装置４０〜５０とを備えている。この管理サーバ装置１０と、各監視制御装置２０〜３０と、遠隔監視制御装置４０〜５０とは、有線または無線から構成される通信網ＮＷを介して通信可能に接続されている。これにより、管理サーバ装置１０と、各監視制御装置２０〜３０と、遠隔監視制御装置４０〜５０とはデータ通信が可能な状態にある。さらに、各監視制御装置２０〜３０には、データベースメンテナンス端末（ＤＢＭ）２０Ｍ〜３０Ｍが、有線または無線から構成される通信網ＮＷを介して通信可能に接続されている。
【００１７】
この実施の形態では、制御所は制御所１〜制御所３（Ａ制御所〜Ｂ制御所）とし、Ａ監視制御装置（以下、単に「監視制御装置」という。）２０は制御所１に設置され、Ｂ監視制御装置（以下、単に「監視制御装置」という。）３０は制御所３に設置されているものとする。具体的には、例えば、制御所１の監視制御装置２０は通信網ＮＷを介して、自所の遠隔監視制御装置４０によって自所の所管する（監視対象の）電力系統設備（設備）６１〜６２を監視制御できるようになっている。また、制御所３の監視制御装置３０は通信網ＮＷを介して、自所の遠隔監視制御装置５０によって監視対象の設備７１〜７２を監視制御できるようになっている。さらに、管理サーバ装置１０は、すべての制御所の運転状況を把握できるようになっている。
【００１８】
管理サーバ装置１０は、データベースサーバとして電力会社の管理部門などに設置され、主として、通信制御装置１１と、管理サーバ１２と、記憶装置１３と、端末１４とを備えている。この管理サーバ装置１０は、複数の制御所１〜３の監視制御装置２０〜３０を管理するもので、各監視制御装置２０〜３０が使用するデータベースのデータマスタ（マスタデータ）１３Ａとして一元的に管理するものである。
【００１９】
通信制御装置１１は、各監視制御装置２０〜３０から送信される各種データを受信すると、社内ネットワーク１１Ａを経て、受信したデータを管理サーバ１２に送る。また、通信制御装置１１は、管理サーバ１２からのデータを、通信網ＮＷを経て各監視制御装置２０〜３０に送信する。
【００２０】
管理サーバ１２は、マスタデータ１３Ａ等の一元管理をするために各種の処理を行う。この処理として、管理サーバ１２は、制御所個別データベース（個別マスタデータベース）１３Ｃ１〜１３Ｃ３の更新処理を行う。つまり、各制御所１〜３が管理する設備６１〜６２、・・・、７１〜７２が新設、更新されると、管理サーバ１２は、当該制御所から設備更新データ（更新データ）を受け取る。これにより、管理サーバ１２は、更新データにもとづいて、当該設備の個別マスタデータベース１３Ｃ１〜１３Ｃ３を作成、更新する。さらに、管理サーバ１２は、個別マスタデータベース１３Ｃ１〜１３Ｃ３と制御所画面１３Ｄ１〜１３Ｄ３とのリンクを生成、再生成する。さらにまた、管理サーバ１２は、後述する共有マスタ生成タスク１２１と、共有マスタ合成タスク１２２と、配信タスク１２３とを記憶、実行するようになっている。
【００２１】
記憶装置１３は、電力系統設備データベース管理システム１が使用する全データ（データベース、画面など）を、管理サーバ１２によって一元管理するためにマスタデータ１３Ａとし記憶している。マスタデータ１３Ａとして管理されるデータには、図５に示すように、全制御所で共通して使用する共有設備情報マスタデータ（共有部データベース）１３Ｂと、各制御所が個別に使用する個別マスタデータベース１３Ｃ１〜１３Ｃ３と制御所画面１３Ｄ１〜１３Ｄ３とを格納している。さらに、共有部データベース１３Ｂは、制御所共通データベース（共通データベース）１３Ｂ１と、制御所共通画面（共通画面）１３Ｂ２とを格納している。また、記憶装置１３は、共有部データベース１３Ｂのオブジェクトデータ（共有オブジェクトデータ）１３Ｅと、個別マスタデータベースのオブジェクトデータ（個別オブジェクトデータ）１３Ｆとを格納している。
【００２２】
共有設備情報マスタデータとしての共有部データベース１３Ｂは、複数の制御所において共通で使用する共通データベース１３Ｂ１と共通画面１３Ｂ２とをデータとして記憶している。共有部データベース１３Ｂは、給電所からの系統情報である入り切り状態を示す二値情報（ＳＶ）、電圧や周波数などの計測情報（ＴＭ）や設備情報などにもとづいて、生成される。
【００２３】
共通データベース１３Ｂ１は、複数の制御所において共通で使用するデータベースで、例えば全社共通データベース１３Ｂ１１、気象・地震データベース１３Ｂ１２、発雷データベース１３Ｂ１３、超高圧系統ＳＶ・ＴＭデータベース１３Ｂ１４などを格納している。全社共通データベース１３Ｂ１１とは、例えば制御所の名前や位置などの制御所情報、設備ごとに当該設備を監視対象とする制御所を記憶した監視対象設備データベース１３Ｂ１１１や、システムの起動に必要な定数情報などである。
【００２４】
監視対象設備データベース１３Ｂ１１１は、具体的には例えば、図４に示すように、設備ごとに、所管する制御所には「◎」を、非所管の制御所で監視対象の制御所には「○」を記憶しており、設備「６１」は、制御所「０１」が「◎（所管制御所）」で、制御所「０３」は「○（非所管制御所）」であることがわかるようになっている。つまり、設備「６１」は、制御所１と制御所３が監視対象としており、データを使用することがわかる。
【００２５】
共通画面１３Ｂ２は、複数の制御所で共通で使用する画面であり、例えば気象画面１３Ｂ２１、ＬＬＳ画面１３Ｂ２２、超高圧系統画面１３Ｂ２３などである。気象画面１３Ｂ２１は、電力会社の営業地方全域の天気図や雨量などを表示する画面であり、ＬＬＳ画面１３Ｂ２２は、電力会社の営業地方全域の発雷情報や発雷予報を表示する画面であり、超高圧系統画面１３Ｂ２３は、電力会社の営業地方全域の超高圧の電力系統を表示する画面である。
【００２６】
個別マスタデータベース１３Ｃ１〜１３Ｃ３は、制御所ごとに監視対象とする設備データベースを格納している。個別マスタデータベース１３Ｃ１〜１３Ｃ３は、図３に示すように、設備ごとに、つまり、設備を識別する設備ＩＤごとに、監視制御装置、種類、機器番号、定数などが記憶されている。すなわち、監視制御装置には、当該設備の所管の（当該設備を監視対象とする）監視制御装置ＩＤが記憶されている。種類、機器番号、定数により、当該設備を特定する情報が記憶されている。
【００２７】
制御所画面１３Ｄ１〜１３Ｄ３は、制御所ごとの監視対象の設備の運転状況などが表示される画面である。当該画面で、表示されている設備を選択して操作することで、当該設備を遠隔で制御可能となるもので、個別マスタデータベース１３Ｃ１〜１３Ｃ３にもとづいて、設備を表すアイコンとその運転状況を表示するようになっている。
【００２８】
共有オブジェクトデータ１３Ｅは、共通データベース１３Ｂ１から生成したオブジェクトデータで、共有マスタ生成タスク１２１によって生成される。
【００２９】
個別オブジェクトデータ１３Ｆは、後述するようにＤＢＭ２０Ｍで生成され、アップロードされるようになっている。
【００３０】
共有設備情報マスタデータ生成手段としての共有マスタ生成タスク１２１は、ＤＢＭ２０Ｍから個別オブジェクトデータ１３Ｆがアップロードされると、共有部データベース１３Ｂ、すなわち、共通データベース１３Ｂ１と共通画面１３Ｂ２とにもとづいて共有オブジェクトデータ１３Ｅを生成する機能を有している。また、この共有マスタ生成タスク１２１は、処理が終了すると共有マスタ合成タスク１２２を起動する。共有マスタ生成タスク１２１は、プログラム、タスクとして管理サーバ１２に格納されている。この処理は、データベース間の整合性を保持し、データ領域を最適に再構築することなどを目的として、個別マスタデータベース１３Ｃ１〜１３Ｃ３が生成、更新されると、つまり、個別オブジェクトデータ１３Ｆがアップロードされると行うものである。
【００３１】
マスタデータ合成手段としての共有マスタ合成タスク１２２は、アップロードされた個別オブジェクトデータ１３Ｆと、生成された共有オブジェクトデータ１３Ｅとを合体（合成）させる機能を有している。この共有マスタ合成タスク１２２によって合成されたファイルは、通信網ＮＷを介して容易に委託先試験卓Ｔや制御所ごとの試験卓２０Ｔ〜３０Ｔに配信（送信、ダウンロード）できるようになっている。共有マスタ合成タスク１２２は、プログラム、タスクとして管理サーバ１２に格納されている。
【００３２】
配信手段としての配信タスク１２３は、生成された個別オブジェクトデータ１３Ｆを使用する（監視対象とする）制御所を、監視対象設備データベースにもとづいて取得し、委託先試験卓Ｔ、当該制御所の試験卓２０Ｔ〜３０Ｔに、共有オブジェクトデータ１３Ｅ、個別オブジェクトデータ１３Ｆを配信（送信、ダウンロード）する機能を有している。具体的には例えば、図４に示すように、監視対象設備データベース１３Ｂ１１１から、設備「６１」は、制御所１と制御所３が監視対象としており、データを使用することがわかる。つまり、設備「６１」のデータが更新された場合であれば、制御所１と制御所３にデータを送信する必要があることがわかる。また、配信タスク１２３は、プログラム、タスクとして管理サーバ１２に格納されている。
【００３３】
端末１４は、管理部門の担当者によって操作される専用のコンピュータ装置であり、例えば、各監視制御装置２０〜３０から受信する設備更新データを表示する。
【００３４】
監視制御装置２０〜３０は、電力系統の設備を監視制御するもので、制御所１〜制御所３にそれぞれ設置され、通信網ＮＷを介して、自所の遠隔監視制御装置４０〜５０に接続されている。これにより、各監視制御装置２０〜３０は、遠隔監視制御装置４０〜５０をそれぞれ監視制御する。この監視制御装置２０は、通信部と、表示部と、入力部と、設備データなどを記憶する記憶部と、個別データベース生成タスク２５と、アップロードタスク２６と、ダウンロードタスク２７と、これらの制御を行う制御部とを備えている。この実施の形態では、監視制御装置２０について説明するが、その他の監視制御装置も、監視制御装置２０と同様に構成されている。
【００３５】
この監視制御装置２０は、記憶部に記憶されたデータベースの作成、更新などのメンテナンスを行うＤＢＭ２０Ｍを有している。ＤＢＭ２０Ｍは、制御所の担当者によって操作されるパーソナルコンピュータなどの端末装置である。
【００３６】
記憶部には、電力系統設備データベース管理システム１が使用するデータの中で、当該監視制御装置２０で使用する（データベース、画面など）を制御所データベース２４Ａとし記憶している。データベース２４Ａとして管理されるデータには、図５に示すように、制御所が個別に使用する制御所個別データベース（個別データベース）２４Ａ１〜２４Ａ２と制御所画面２４Ｂとを格納している。さらに、記憶部は、個別データベース２４Ａ１のオブジェクトデータ（個別オブジェクトデータ）２４Ｃを有している。
【００３７】
個別設備情報データベースとしての個別データベース２４Ａ１は、自所（例えば、制御所１）が監視対象とする設備データが記憶され、図３に示すように、設備ごとに、つまり、設備を識別する設備ＩＤごとに、監視制御装置、種類、機器番号、定数などが記憶されている。すなわち、監視制御装置には、当該設備の所管の（当該設備を監視対象とする）監視制御装置ＩＤが記憶されている。種類、機器番号、定数には、当該設備を特定する情報が記憶されている。個別データベース２４Ａ１は、制御所１からの系統情報にもとづいて、生成される。
【００３８】
個別データベース２４Ａ２は、制御所１からの系統情報にもとづいて、ダウンロードされたものであり、自所（例えば、制御所１）が使用する他所（例えば、制御所３）のデータを記憶している。このように、制御所１の監視制御装置２０において、制御所３の系統情報を記憶しているのは、次の理由による。すなわち、図２に示すように、電力系統は複数の制御所を経由して構成されているため、監視制御装置２０は、自所（例えば、制御所１）が管理する設備の運転状況を監視制御するためには、隣接する制御所（例えば、制御所３）の設備の運転状況を応じて取り込んで監視制御画面（例えば、後述する制御所画面２４Ｂ）に表示する必要がある。電力系統は、制御所間で連係するため、データの送受信が行われるため、運転状況の確認に、多所の設備情報が必要となる場合があるからである。この個別データベース２４Ａ２は、制御所３のＤＢＭ３０によって更新されるものであり、制御所１のＤＢＭ２０Ｍによって参照されるが、更新されないものである。
【００３９】
このため、監視制御装置２０は、自所が管理する設備データである個別データベース２４Ａ１に加えて、隣接する制御所が管理する設備データである個別データベース２４Ａ２を必要とする。この実施の形態では、例えば、制御所１はＡ変電所とＢ変電所とＣ変電所とを所管し、各変電所Ａ〜Ｃの設備を監視対象としている。ところで、制御所１の所管エリア（図中、破線で図示）の境界では、隣接する制御所３のＤ変電所の一部の設備データ（図中、一点鎖線で図示）も監視対象として使用している。このため、制御所１においては、自所の監視対象の設備データを含む個別データベース２４Ａ１だけでなく、隣接する制御所３のＤ変電所の一部の設備データを含む個別データベース２４Ａ２も記憶している。なお、設備データは、図３に示すように設備６１〜６２、・・・、設備７１〜７２の性能や機能を示すデータであり、例えば、設備ＩＤ、所管の監視制御装置ＩＤ、種類、機器番号、定数などがある。
【００４０】
制御所画面２４Ｂは、自所の監視対象の設備の運転状況などが表示される画面である。当該画面で、表示されている設備を選択して操作することで、当該設備を遠隔で制御可能となるもので、個別データベース２４Ａ１、２４Ａ２にもとづいて、設備を表すアイコンとその運転状況を表示するようになっている。
【００４１】
個別オブジェクトデータ２４Ｃは、制御所データベース２４Ａ、すなわち、個別データベース２４Ａ１、２４Ａ２、制御所画面２４Ｂから生成したオブジェクトデータである。
【００４２】
個別設備情報データベース生成手段としての個別データベース生成タスク２５は、個別データベース２４Ａ１が作成、更新されると、制御所データベース２４Ａにもとづいて個別オブジェクトデータ２４Ｃを生成する機能を有している。この個別データベース生成タスク２５は、プログラム、タスクとしてＤＢＭ２０Ｍに格納されている。
【００４３】
ダウンロード手段としてのダウンロードタスク２７によって、データベース作成、更新に必要な制御所データベース２４Ａを管理サーバ１２の個別マスタデータベース１３Ｃ１、自所（例えば、制御所１）が使用する個別マスタデータベース１３Ｃ３の一部と、制御所画面１３Ｄ１からダウンロード（受信）する機能を有している。またアップロード手段としてのアップロードタスク２６によって、個別データベース生成タスク２５で生成した個別オブジェクトデータ２４Ｃと、個別データベース２４Ａ１の更新データを含む制御所データベース２４Ａとを管理サーバ１２にアップロードする機能を有している。このアップロードタスク２６と、ダウンロードタスク２７は、プログラム、タスクとしてＤＢＭ２０Ｍに格納されている。
【００４４】
このような構成の監視制御装置２０は、管理サーバ装置１０に、現在自所で使用している設備の更新データと、生成した個別オブジェクトデータ２４Ｃとを送信（アップロード）する。また、監視制御装置２０は、管理サーバ装置１０から、自所で使用している設備の個別データベース２４Ａ１をダウンロード（受信）する。
【００４５】
この実施の形態においては、上述の共有マスタ生成タスク１２１と、共有マスタ合成タスク１２２と、配信タスク１２３と、個別データベース生成タスク２５と、アップロードタスク２６と、ダウンロードタスク２７によって電力系統設備データベース管理プログラムが構成されている。
【００４６】
制御所試験卓２０Ｔ〜３０Ｍは、各制御所に設置され、監視制御画面や設備データを記憶したデータベースなどを備え、実際の運用で使用される運転卓（実機）と同等の構成で、運転卓と同様の操作、制御ができるようになっているトレーニング用の装置である。
【００４７】
委託先試験卓Ｔは、委託先に設置され、制御所試験卓２０Ｔ〜３０Ｍと同等の構成となっている。
【００４８】
遠隔監視制御装置４０〜５０は、監視対象の設備を遠隔で監視制御するもので、制御所１〜制御所２（Ａ制御所〜Ｂ制御所）の監視制御装置２０〜監視制御装置３０によってそれぞれ管理されている。例えば、遠隔監視制御装置４０は設備６１〜６２を監視して制御し、同様に、遠隔監視制御装置５０は設備７１〜７２を監視して制御する。遠隔監視制御装置４０〜５０の監視制御の対象である設備６１〜６２および設備７１〜７２は、例えば電力系統の変圧器、遮断器、断路器、送電線等である。
【００４９】
次に、電力系統設備データベース管理システム１の処理手順および作用について説明する。ここで、制御所１の監視対象設備（設備「６１」）が更新された場合を例にして説明する。
【００５０】
まず、制御所１において、監視対象の設備「６１」が更新されると、図６に示すように、ステップＳ１として、ダウンロードタスク２７により、管理サーバ１２の個別マスタデータベース１３Ｃ１、自所（例えば、制御所１）が使用する個別マスタデータベース１３Ｃ３の一部と、制御所画面１３Ｄ１から、設備「６１」に関する個別データベース２４Ａ１を含む制御所データベース２４Ａが、ＤＢＭ２０Ｍにダウンロードされる。次に、ステップＳ２において、設備「６１」に関する更新データが担当者によりＤＢＭ２０Ｍによって入力され、個別データベース２４Ａ１が更新される。さらに、ステップＳ３において、個別データベース生成タスク２５によって、個別データベース２４Ａ１を含む制御所データベース２４Ａがオブジェクトデータ化されて、個別オブジェクトデータ２４Ｃが生成される。そして、ステップＳ４において、アップロードタスク２６によって、生成された個別オブジェクトデータ２４Ｃがサーバ装置１２にアップロードされ、更新データがサーバ装置１２にアップロードされる。
【００５１】
つづいて、サーバ装置１２によって、ステップＳ５において、共有マスタ生成タスク１２１により、共有オブジェクトデータ１３Ｅが生成され、オブジェクトデータ化される。ステップＳ６において、共有マスタ合成タスク１２２によって、共有オブジェクトデータ１３Ｅと個別オブジェクトデータ１３Ｆとが合成される。そして、委託先試験卓Ｔに共有オブジェクトデータ１３Ｅと個別オブジェクトデータ１３Ｆとがダウンロード（配信）される。
【００５２】
つづいて、委託先試験卓Ｔでは、ステップＳ７において、ダウンロードしたオブジェクトデータ（共有データベースと個別データベース）にもとづいて、データに不備や不整合などが生じていないことの確認試験をする。例えば、各種画面を表示したり、帳票を出力したりして、正しく表示、出力されていることが確認される。そして、管理サーバ１２に確認試験の結果が送信される。
【００５３】
つづいて、管理サーバ１２では、送信された確認試験の結果にもとづいて、問題がない場合は、ステップＳ８に進んで配信タスク１２３が起動される。そして、配信タスク１２３によって、生成された個別オブジェクトデータ１３Ｆを使用する各制御所の試験卓２０Ｔ〜３０Ｔに、共有オブジェクトデータ１３Ｅと個別オブジェクトデータ１３Ｆとが配信（ダウンロード）される。より詳しくは、図４に示す監視対象設備データベース１３Ｂ１１１から、設備「６１」は、制御所１と制御所３が監視対象としており、データを使用することがわかるので、制御所１の試験卓２０Ｔに制御所１の全オブジェクトデータと、制御所３の設備「６１」のオブジェクトデータが、配信される。
【００５４】
つづいて、試験卓２０Ｔ〜３０Ｔでは、ステップＳ９において、ダウンロードしたオブジェクトデータ（共有データベースと個別データベース）にもとづいて、データに不備や不整合などが生じていないことが確認試験される。例えば、各種画面を表示したり、帳票などを出力したりして、正しく表示、出力されていることが確認される。自所のデータベースが問題ない場合は、ステップＳ１０において、同様に制御所間でのデータに不備や不整合などが生じていないことが確認試験される。
【００５５】
そして、すべての試験卓２０Ｔ〜３０Ｔでの確認試験が完了し、問題がないことが確認された場合は、ステップＳ１１に進んで、すべての試験卓２０Ｔ〜３０Ｔに対してデータの等価操作が行われた後に、ステップＳ１２に進んで、更新されたデータに基づいた運用が開始される。
【００５６】
このようにして、制御所１の監視対象設備が更新された場合は、制御所１のＤＢＭ２０Ｍによって、個別データベース２４Ａ１がオブジェクトデータ化されてから、サーバ装置１２にアップロードされる。そして、サーバ装置１２によって、共通データベース１３Ｂ１がオブジェクトデータ化された後に、個別オブジェクトデータ１３Ｆと合成される。そして、合成されたデータが更新データの設備を監視対象とする制御所１、３に配信される。また、制御所１の監視対象設備が新設された場合も同様に処理することができる。
【００５７】
以上のように、この電力系統設備データベース管理システム１によれば、データベースの生成は、各監視制御装置２０〜３０において、当該監視制御装置２０〜３０が監視対象とする個別データベース２４Ａ１の個別オブジェクトデータ２４Ｃが生成され、管理サーバ１２において、共通データベース１３Ｂ１の共有オブジェクトデータ１３Ｅが生成されるので、データベースが生成される装置が分散され、管理サーバ１２の負荷が軽減される。これにより、重負荷による管理サーバ装置１０および通信網ＮＷの障害を回避することができる。
【００５８】
また、各監視制御装置２０〜３０が生成するのは、当該監視制御装置２０〜３０が監視対象とする個別データベース（この実施の形態では２４Ａ１）を含む制御所データベース（この実施の形態では２４Ａ）のみであるため、データベース生成時の排他制御は最小範囲となり、処理待ちや割込処理の発生も最小となる。したがって、電力系統設備データベースを効率的に運用することができる。さらに、共有マスタ合成タスク１２２によって、アップロードされた個別オブジェクトデータ１３Ｆと、生成された共有オブジェクトデータ１３Ｅとを合体（合成）するので、データ容量を削減することができ、かつ、１ファイルとして配信できるので、通信網ＮＷを介して容易に委託先試験卓Ｔや制御所ごとの試験卓２０Ｔ〜３０Ｔに配信できる。
【００５９】
以上、この発明の実施の形態について説明したが、具体的な構成は、上記の実施の形態に限られるものではなく、この発明の要旨を逸脱しない範囲の設計の変更等があっても、この発明に含まれる。例えば、個別データベース生成タスク２５と、共有マスタ生成タスク１２１と、共有マスタ合成タスク１２２と、配信タスク１２３とは一つのタスクとして一連で処理するようにしてもよい。また、これらのタスクによる処理は、システムの負荷が少なく、運用への影響が少ない深夜、早朝などに行うようにしてもよい。
【００６０】
また、共有マスタ生成タスク１２１は、上記の実施の形態では個別オブジェクトデータ１３Ｆがアップロードされると実行されるようにして説明したが、前回の実行時から共有部データベース１３Ｂに更新がない場合は、再生成しないようにしてもよい。
【符号の説明】
【００６１】
１０        管理サーバ装置
１１        通信制御装置
１２        管理サーバ
１２１      共有マスタ生成タスク（共有設備情報マスタデータ生成手段）
１２２      共有マスタ合成タスク（マスタデータ合成手段）
１２３      配信タスク（配信手段）
１３        記憶装置
１３Ａ      マスタデータ
１３Ｂ      共有部データベース（共有設備情報マスタデータ）
１３Ｃ１〜１３Ｃ３  個別マスタデータベース（個別設備情報マスタデータ）
１３Ｅ      共有オブジェクトデータ（共有部データベースのオブジェクトデータ）
１３Ｆ      個別オブジェクトデータ（個別マスタデータベースのオブジェクトデータ）
１４        端末
２０〜３０  制御所監視制御装置
２０Ｍ      ＤＢＭ（データベースメンテナンス端末）
２０Ｔ〜３０Ｔ  制御所試験卓
２４Ａ      制御所データベース
２４Ａ１、２４Ａ２  個別データベース（個別設備情報データベース）
２４Ｃ      個別オブジェクトデータ
２５        個別データベース生成タスク（個別設備情報データベース生成手段）
２６        アップロードタスク（アップロード手段）
２７        ダウンロードタスク（ダウンロード手段）
４０〜５０  遠隔監視制御装置
６１〜７２  設備（電力系統設備）
ＮＷ        通信網
Ｔ          委託先試験卓
【図１】
2012257388.tif 000003
【図２】
2012257388.tif 000004
【図３】
2012257388.tif 000005
【図４】
2012257388.tif 000006
【図５】
2012257388.tif 000007
【図６】
2012257388.tif 000008
【図７】
2012257388.tif 000009
【図８】
2012257388.tif 000010